(57)【要約】【課題】簡易かつ安価な構成で、入力されるＲＦ信号に任意の温度特性を付与して出力できる温度補償回路を得ること。【解決手段】誘電率εｒ１、線路長Ｌ１のＲＦ線路１１と誘電率εｒ２、線路長Ｌ２のＲＦ線路１２とに等分配された２つのＲＦ信号は、対応する誘電率の温度特性に対応した温度変化を示す通過位相θ１，θ２を有して通過するので、通過位相差θ１−θ２を有して合成回路１４に入力する。そのため、合成回路１４では、２つのＲＦ線路１１，１２からのＲＦ信号を合成する際に、通過位相差θ１−θ２の温度変化に対応して変化する合成損を生ずるので、合成回路１４からＲＦ増幅器２へ出力されるＲＦ信号に、合成回路１４にて生じた温度変化に対応した合成損の分だけの減衰量を付与することができる。【選択図】        図１
2010193040.tif 000002
【特許請求の範囲】
【請求項１】
互いに温度特性が異なる誘電率を有する２つの誘電体基板のそれぞれに形成された任意の線路長を有する２つの高周波線路と、
入力される高周波信号を前記２つの高周波線路へ等分配する分配回路と、
前記２つの高周波線路を通過した高周波信号を合成して出力する合成回路と、
を備えることを特徴とする温度補償回路。
【発明の詳細な説明】
【技術分野】
【０００１】
本発明は、温度補償回路に関するものである。
【背景技術】
【０００２】
高周波（ＲＦ）信号を増幅するＲＦ増幅器で生ずる利得や損失の温度変動を緩和させる目的で、ＲＦ増幅器の前段に、例えば、特許文献１に開示される半導体デバイスの可変減衰器を用いた温度補償回路を設けることが考えられる。
【０００３】
すなわち、温度補償回路を、可変減衰器でＲＦ信号に与える減衰量と温度との関係がＲＦ増幅器の温度変動特性と逆特性となるように、制御回路にて制御するように構成する。このような温度報償回路をＲＦ増幅器に前置すれば、ＲＦ増幅器に温度変動の少ないＲＦ信号を出力させることができる。なお、可変減衰器に代えて市販のサーモパッドを使用してもよい。
【先行技術文献】
【特許文献】
【０００４】
【特許文献１】特許第３７８４６６４号公報
【発明の概要】
【発明が解決しようとする課題】
【０００５】
しかし、上記半導体デバイスによる可変減衰器は、高価であるのに加えて、減衰量を制御する制御回路が必要であり、回路構成の難易度が高くなる。また、市販されるサーモパッドは、高周波帯になるほど温度補償が急激に小さくなるという欠点がある。
【０００６】
本発明は、上記に鑑みてなされたものであり、簡易かつ安価な構成で、入力されるＲＦ信号に任意の温度特性を付与して出力できる温度補償回路を得ることを目的とする。
【課題を解決するための手段】
【０００７】
上述した目的を達成するために本発明にかかる温度補償回路は、互いに温度特性が異なる誘電率を有する２つの誘電体基板のそれぞれに形成された任意の線路長を有する２つの高周波線路と、入力される高周波信号を前記２つの高周波線路へ等分配する分配回路と、前記２つの高周波線路を通過した高周波信号を合成して出力する合成回路とを備えることを特徴とする。
【発明の効果】
【０００８】
本発明によれば、２つの高周波線路に等分配された高周波信号は、対応する誘電率の温度特性に対応した温度変化を示す通過位相を有して２つの高周波線路を通過するので、通過位相差を有して合成回路に入力する。そのため、合成回路では、２つの高周波線路からの高周波信号を合成する際に、通過位相差の温度変化に対応して変化する合成損を生ずるので、合成回路から出力される高周波信号に、合成回路にて生じた温度変化に対応した合成損の分だけの減衰量を付与することができる。このように、入力されるＲＦ信号に任意の温度特性を付与して出力できる温度補償回路を簡易かつ安価な構成で実現できるという効果を奏する。
【図面の簡単な説明】
【０００９】
【図１】図１は、本発明の一実施の形態による温度補償回路の構成を示すブロック図である。
【図２】図２は、図１に示す２つのＲＦ線路が有する誘電率の温度特性の一例を示す特性図である。
【図３】図３は、図１に示す２つのＲＦ線路を伝播するＲＦ信号の位相と温度との関係を示す特性図である。
【図４】図４は、図１に示す合成回路での位相差と合成損との関係を示す特性図である。
【図５】図５は、図１に示す温度補償回路が通過するＲＦ信号に付与する温度特性と、ＲＦ増幅器での温度特性とを比較して示す特性図である。
【発明を実施するための形態】
【００１０】
以下に、本発明にかかる温度補償回路の実施の形態を図面を参照して詳細に説明する。なお、この実施の形態によりこの発明が限定されるものではない。
【００１１】
図１は、本発明の一実施の形態による温度補償回路の構成を示すブロック図である。図１において、本実施の形態による温度補償回路１は、ＲＦ増幅器２で生ずる利得や損失の温度変動を緩和させる構成として、並置されるＲＦ線路１１，１２と、入力側に配置される分配回路１３と、出力側に配置される合成回路１４とを備えている。
【００１２】
ＦＲ線路１１は、誘電率εｒ１の誘電体基板に形成され、線路長がＬ１である。ＲＦ線路１２は、誘電率εｒ２の誘電体基板に形成され、線路長がＬ２である。
【００１３】
次に、動作について説明する。分配回路１３は、入力されるＲＦ信号を並置されるＲＦ線路１１，１２に等分配する。ＲＦ線路１１，１２に、周波数ｆ［Ｈｚ］のＲＦ信号を通過させたときのＲＦ線路１１，１２での通過位相θ１，θ２の温度特性は、ＲＦ線路１１，１２の線路長Ｌ１［ｍ］，Ｌ２［ｍ］と、光速ｃ（ｃ＝３×１０８［ｍ／ｓ］）と、誘電率εｒ１，εｒ２と、温度Ｔ［℃］とを用いて、それぞれ次の式（１）（２）で表される。
【００１４】
【数１】
2010193040.tif 000003
【００１５】
図２は、図１に示す２つのＲＦ線路が有する誘電率の温度特性の一例を示す特性図である。図３は、図１に示す２つのＲＦ線路を伝搬するＲＦ信号の位相と温度との関係を示す特性図である。
【００１６】
図２に示すように、本実施の形態では、ＲＦ線路１１の誘電率εｒ１とＲＦ線路１２の誘電率εｒ２との大小関係は、例えばεｒ１＜εｒ２であるとしている。そして、誘電率εｒ１，εｒ２の温度特性は、互いに異なっている。図２に示すように、本実施の形態では、温度範囲−３０℃〜７０℃において、誘電率εｒ１の温度特性は、変化は少なくほぼ一定であるが、誘電率εｒ２の温度特性は、右肩上がりで増大する特性を有しているとしている。
【００１７】
そうすると、ＲＦ線路１１での式（１）による通過位相θ１と、ＲＦ線路１２での式（２）による通過位相θ２は、誘電率εｒ１，εｒ２の温度特性に対応して変化するので、それぞれ図３に示すような温度特性を示す。図３では、＋２５℃を基準にした温度範囲−３０℃〜７０℃において、ＲＦ線路１１での通過位相θ１の温度特性は、誘電率εｒ１の温度特性に対応してほぼ一定で変化は少ないが、ＲＦ線路１２での通過位相θ２の温度特性は、誘電率εｒ２の温度特性に対応して右肩上がりで増大することが示されている。
【００１８】
すなわち、ＲＦ線路１１，１２に等分配されたＲＦ信号は、ＲＦ線路１１，１２を通過することで、通過位相差θ１−θ２を有して合成回路１４に入力する。図４は、図１に示す合成回路での位相差と合成損との関係を示す特性図である。したがって、図４に示すように、合成回路１４では、ＲＦ線路１１，１２から入力する２つのＲＦ信号を合成する際に、通過位相差θ１−θ２の温度変化に対応して変化する合成損が生ずる。これは、合成回路１４からＲＦ増幅器２に出力されるＲＦ信号に、合成回路１４にて生じた温度変化に対応した合成損の分だけの減衰量が付与されていることを意味する。
【００１９】
合成回路１４にて生ずる合成損の温度特性は、通過位相差θ１−θ２の温度特性に対応しているので、式（１）（２）に示されるように、ＲＦ線路１１，１２の誘電率εｒ１，εｒ２と、線路長Ｌ１，Ｌ２とを適切に選択することで、任意の温度での通過位相差θ１−θ２を初期値にして得られる合成損を基準として任意の温度変化を示すようにすることができる。
【００２０】
図５は、図１に示す温度補償回路が通過するＲＦ信号に付与する温度特性と、ＲＦ増幅器での温度特性とを比較して示す特性図である。したがって、図５に示すように、温度補償回路１からＲＦ増幅器２に与えるＲＦ信号の温度特性１６を、ＲＦ増幅器２での温度特性１５と逆の特性にすることができるので、ＲＦ増幅器２に、温度変化の少ない特性１７の出力信号を出力させることができる。
【００２１】
以上のように、本実施の形態によれば、互いに温度特性が異なる誘電率を有する２つの誘電体基板のそれぞれに任意の線路長を有するＲＦ線路を形成して等値のＲＦ信号を通過させ、合成するという簡易かつ安価な構成で、入力されるＲＦ信号に任意の温度特性を付与して出力できる温度補償回路が得られる。
【００２２】
なお、本実施の形態による温度補償回路では、ＲＦ信号が高周波帯になるほど２つのＲＦ線路での伝搬損失は増えるが、温度補償の効果は変わらない。
【産業上の利用可能性】
【００２３】
以上のように、本発明にかかる温度補償回路は、簡易かつ安価な構成で、入力されるＲＦ信号に任意の温度特性を付与して出力できる温度補償回路として有用である。
【符号の説明】
【００２４】
１  温度補償回路
２  ＲＦ増幅器
１１，１２  ＲＦ線路
１３  分配回路
１４  合成回路
【図１】
2010193040.tif 000004
【図２】
2010193040.tif 000005
【図３】
2010193040.tif 000006
【図４】
2010193040.tif 000007
【図５】
2010193040.tif 000008